【事件の表示】
　特許第３２２６５２３号「パチンコ球排出装置」の請求項１、２に係る特許に対する特許異議の申立てについて、次のとおり決定する。
【結　論】
　訂正を認める。
　特許第３２２６５２３号の請求項１に係る特許を維持する。
【理　由】
１・手続の経緯
　特許第３２２６５２３号の請求項１、２に係る発明についての特許出願は、平成６年３月１１日に出願された特願平６−４０７０２号（以下、原出願という）の一部が、平成１３年２月１９日に、特許法第４４条第１項の規定により、新たな特許出願として分割されたものであって、平成１３年８月３１日にその特許権の設定登録がなされ、その後、丸本功彦、町田彬よりそれぞれ特許異議の申立てがなされ、平成１４年８月６日付けで取消しの理由が通知され、その指定期間内である平成１４年１０月１１日に訂正請求（後日取下げ）がなされ、町田彬より平成１４年１１月６日付けで上申書が提出され、再度平成１５年４月２３日付けで取消しの理由が通知され、その指定期間内である平成１５年６月２５日に訂正請求がなされたものである。
２・訂正の適否についての判断
（２−１）訂正の内容
ア・訂正事項ａ
　明細書の特許請求の範囲の請求項１を、
「ケース内に筒状の部分を設け該筒状の部分に回転可能に収納され、円板状の隔壁部を挟んで設けられ且つ当該隔壁部と共に回動部材を構成する第１の球受部材および第２の球受部材と、
　前記ケース内に設けられ、前記第１の球受部材および前記第２の球受部材にパチンコ球を供給する第１の球供給路および第２の球供給路と、
　前記第１の球受部材および前記第２の球受部材に夫々に設けられ、前記第１の球供給路および前記第２の球供給路から供給されるパチンコ球を受ける複数の球受凹部と、
　前記ケース内に設けられ、前記第１の球受部材および前記第２の球受部材を位相のずれ状態で回動駆動することに基いて前記第１の球受部材の球受凹部内および前記第２の球受部材の球受凹部内からパチンコ球を交互に排出する駆動モータと、
　前記第１の球受部材および前記第２の球受部材に複数の球受凹部間に位置して夫々に設けられた突出部とを備え、
　前記第１の球受部材の突出部および前記第２の球受部材の突出部は、外周面が前記第１の球供給路および前記第２の球供給路から供給されるパチンコ球の荷重で前記第１の球受部材および前記第２の球受部材に回転力を付与する形状に設定されていることを特徴とするパチンコ球排出装置。」
と訂正する。
イ・訂正事項ｂ
　明細書の特許請求の範囲の請求項２を削除する。
ウ・訂正事項ｃ
　明細書の段落【０００５】を、
「【課題を解決するための手段】
　請求項１記載のパチンコ球排出装置は、ケース内に筒状の部分を設け該筒状の部分に回転可能に収納され円板状の隔壁部を挟んで設けられ且つ当該隔壁部と共に回動部材を構成する第１の球受部材および第２の球受部材と、前記ケース内に設けられ前記第１の球受部材および前記第２の球受部材にパチンコ球を供給する第１の球供給路および第２の球供給路と、前記第１の球受部材および前記第２の球受部材に夫々に設けられ前記第１の球供給路および前記第２の球供給路から供給されるパチンコ球を受ける複数の球受凹部と、前記ケース内に設けられ前記第１の球受部材および前記第２の球受部材を位相のずれ状態で回動駆動することに基いて前記第１の球受部材の球受凹部内および前記第２の球受部材の球受凹部内からパチンコ球を交互に排出する駆動モータと、前記第１の球受部材および前記第２の球受部材に複数の球受凹部間に位置して夫々に設けられた突出部とを備え、前記第１の球受部材の突出部および前記第２の球受部材の突出部は外周面が前記第１の球供給路および前記第２の球供給路から供給されるパチンコ球の荷重で前記第１の球受部材および前記第２の球受部材に回転力を付与する形状に設定されているところに特徴を有する。」
と訂正する。
エ・訂正事項ｄ
　明細書の段落【０００６】の記載を削除する。
（２−２）訂正の目的の適否、新規事項の有無及び拡張・変更の存否
　上記訂正事項ａ及びｂは、特許請求の範囲の減縮を目的とした明細書の訂正に該当し、上記訂正事項ｃ及びｄは、上記訂正事項ａ及びｂと整合を図るものであるから、明りょうでない記載の釈明を目的とした明細書の訂正に該当し、何れも、新規事項の追加に該当せず、実質的に特許請求の範囲を拡張し、変更するものではない。
（２−３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３・特許異議の申立て及び平成１４年８月６日付け取消理由についての判断
（３−１）特許異議の申立ての理由の概要
（３−１−１）申立人・丸本功彦は、
甲第１号証（特開平５−２４５２５７号公報）、甲第２号証（特開平５−３４５０６９号公報）及び甲第３号証（特願平５−３４４２５８号（特開平７−１７１２５６号）の明細書又は図面）
を引用し、
本件特許の請求項１及び２に係る各発明は、当業者が甲第１及び２号証に記載された各発明に基いて容易に発明をすることができたものであるから、その特許は、特許法第２９条第２項の規定に違反してなされたものであり、
又、本件特許の請求項１及び２に係る各発明は、甲第３号証の明細書又は図面に記載された発明と同一であるから、その特許は、特許法第２９条の２の規定に違反してなされたものであり、
更に、本件特許は、特許法第３６条第５項第１号に規定する要件を満たしていない特許出願に対してなされたものであり、
取り消されるべきものである、旨主張している。
（３−１−２）申立人・町田彬は、
甲第１号証（特開平５−３４５０６９号公報）、甲第２号証（特開平３−５５０８７号公報）、甲第３号証（実願平２−８００２２号（実開平４−３７４８７号）のマイクロフィルム）、甲第４号証（特開平２−１１１８６号公報）、甲第５号証（特開平１−１５１４７６号公報）及び甲第６号証（特開昭６４−３７９８０号公報）を引用し、
本件特許の請求項１に係る発明は、甲第１号証に記載された発明であり、又は、当業者が甲第１乃至４号証に記載された各発明に基いて容易に発明をすることができたものであるから、その特許は、特許法第２９条第１項第３号、又は、同条第２項の規定に違反してなされたものであり、
本件特許の請求項２に係る発明は、当業者が甲第１乃至６号証に記載された各発明に基いて容易に発明をすることができたものであるから、その特許は、特許法第２９条第２項の規定に違反してなされたものであり、
取り消されるべきものである、旨主張している。
（３−２）平成１４年８月６日付け取消理由の概要
　当該取消理由は、
新たな特許出願の特許請求の範囲の請求項２に係る発明が原出願に記載されていない事項であることを理由に、本件特許に係る特許出願の出願日を新たな特許出願をした日である平成１３年２月１９日に認定するとともに、
刊行物１（特開平７−２４６２７４号公報）、刊行物２（申立人・丸本の甲第２号証、申立人・町田の甲第１号証である特開平５−３４５０６９号公報）、刊行物３（特開平８−３０９００５号公報）、刊行物４（申立人・町田の甲第５号証である特開平１−１５１４７６号公報）、刊行物５（申立人・町田の甲第６号証である特開昭６４−３７９８０号公報）及び刊行物６（申立人・丸本の甲第１号証である特開平５−２４５２５７号公報）を引用し、
本件特許の請求項１に係る発明は、刊行物１若しくは２に記載された発明であり、又は、当業者が刊行物２に記載された発明及び刊行物４乃至６に記載された各発明に基いて容易に発明をすることができたものであるから、その特許は、特許法第２９条第１項第３号、又は、同条第２項の規定に違反してなされたものであり、
又、本件特許は、特許法第３６条第５項第１号に規定する要件を満たしていない特許出願に対してなされたものであり、
取り消されるべきものである、というものである。
（３−３）本件特許に係る特許出願の出願日並びに上記取消理由で引用された刊行物１及び３について
　上記２・の訂正が認められた結果、上記２・の（２−１）のイ・及びエ・で示したように、明細書の特許請求の範囲の請求項２及び明細書の段落【０００６】の記載が削除されたから、本件特許に係る特許出願の出願日は、原出願の出願日の平成６年３月１１日である。
　そうすると、平成７年９月２６日に公開された刊行物１及び平成８年１１月２６日に公開された刊行物３は、本件特許出願前に頒布された刊行物ではないから、上記取消理由で引用された刊行物１及び３については、以後、言及しない。
（３−４）本件の発明
　上記２・で示したように上記訂正が認められたので、本件特許第３２２６５２３号の請求項１に係る発明は、上記訂正請求に係る訂正明細書の特許請求の範囲の請求項１に記載された事項により特定されるとおりのものである（上記２・の（２−１）のア・参照）。
（３−５）特許法第２９条第１項第３号及び同条第２項の規定違反について
（３−５−１）異議申立人が引用する証拠に記載された発明／取消理由で引用された刊行物に記載された発明
　申立人・丸本が引用する甲第１号証（取消理由の刊行物６でもある特開平５−２４５２５７号公報）（以下、引用例１という）には、
「球送り整流部材１９を構成するラチエットホイール形状をなす整流盤２１Ａ，２１Ｂと、
　前記ラチエットホイール形状をなす整流盤２１Ａ，２１Ｂに賞球を供給する２列の整流樋６Ａ，６Ｂと、
　前記ラチエットホイール形状をなす整流盤２１Ａ，２１Ｂに夫々に設けられ、前記２列の整流樋６Ａ，６Ｂから供給される賞球を受ける複数の球受部２３と、
　前記ラチエットホイール形状をなす整流盤２１Ａ，２１Ｂに複数の球受部２３間に位置して夫々に設けられた球送り歯２２とを備え、
　前記ラチエットホイール形状をなす整流盤２１Ａ，２１Ｂの球送り歯２２は、外周面が前記２列の整流樋６Ａ，６Ｂから供給される賞球の荷重で前記ラチエットホイール形状をなす整流盤２１Ａ，２１Ｂに回転力を付与する形状に設定されている賞球整流送出装置」を構成とする発明が記載されているものと認められる。
　申立人・丸本が引用する甲第２号証（申立人・町田の甲第１号証及び取消理由の刊行物２でもある特開平５−３４５０６９号公報）（以下、引用例２という）には、
特に、
「図４（ａ）に示すように、３つの係合爪１２ｂ、１２ｂ、１２ｂをＹ字状に停止させている状態では、上の２枚の係合爪１２ｂ、１２ｂの間にパチンコ球Ｂ１が止まり」（第３頁第４欄第２９〜３２行）及び【図４】（ａ）（第５頁）の記載から、
回転体１２の２枚の係合爪１２ｂ、１２ｂの間に、入口通路９ａから供給されるパチンコ球を受ける球受凹部が形成されているものと認められること、
からみて、
「回転体１２，１２と、
　前記回転体１２，１２にパチンコ球を供給する入口通路９ａ、９ａと、
　前記回転体１２，１２に夫々に設けられ、前記入口通路９ａ、９ａから供給されるパチンコ球を受ける複数の球受凹部と、
　前記回転体１２，１２を位相のずれ状態で回動駆動することに基づいて前記回転体１２，１２の球受凹部内からパチンコ球を交互に放出する駆動モータ１３と、
　前記回転体１２，１２に複数の球受凹部間に位置して夫々に設けられた係合爪１２ｂとを備え、
　前記回転体１２，１２の係合爪１２ｂは、外周面が前記入口通路９ａ、９ａから供給されるパチンコ球の荷重で前記回転体１２，１２に回転力を付与する形状に設定されているパチンコ球放出装置」を構成とする発明が記載されているものと認められる。
　申立人・町田が引用する甲第２号証（特開平３−５５０８７号公報）（以下、引用例３という）には、
「回転体４，５と、
　前記回転体４，５にパチンコ球を供給する第１及び第２の球通路２，３と、
　前記回転体４，５に夫々に設けられ、前記第１及び第２の球通路２，３から供給されるパチンコ球を受ける複数の球体係合部１０，１２と、
　前記回転体４，５を位相のずれ状態で回動駆動することに基づいて前記回転体４，５の球体係合部１０，１２内からパチンコ球を交互に排出する駆動モータ７と、
　前記回転体４，５に複数の球体係合部１０，１２間に位置して夫々に設けられた突部１１，１３とを備え、
　前記回転体４，５の突部１１，１３は、外周面が前記第１及び第２の球通路２，３から供給されるパチンコ球の荷重で前記回転体４，５に回転力を付与する形状に設定されているパチンコ球排出装置」を構成とする発明が記載されているものと認められる。
　申立人・町田が引用する甲第３号証（実願平２−８００２２号（実開平４−３７４８７号）のマイクロフィルム）（以下、引用例４という）には、
「スプロケット９と、
　前記スプロケット９に賞品球を供給する誘導樋７と、
　前記スプロケット９に設けられ、前記誘導樋７から供給される賞品球を受ける複数の球受凹部と、
　前記スプロケット９を回動駆動することに基づいて前記スプロケット９の球受凹部内から賞品球を導出する駆動モータ１７と、
　前記スプロケット９に複数の球受凹部間に位置して設けられた突設された区画部２０とを備え、
　前記スプロケット９の突設された区画部２０は、外周面が前記誘導樋７から供給される賞品球の荷重で前記スプロケット９に回転力を付与する形状に設定されている賞品球導出装置」を構成とする発明が記載されているものと認められる。
　申立人・町田が引用する甲第４号証（特開平２−１１１８６号公報）（以下、引用例５という）には、
特に、
第３図（ａ）（第４頁）の記載から、
攪拌切り出し翼１６に複数の球受凹部１６ａ間に位置して突出部が設けられているものと認められること、
からみて、
「攪拌切り出し翼１６と、
　前記攪拌切り出し翼１６に入賞球を供給する仕切り板１４，１５と、
　前記攪拌切り出し翼１６に設けられ、前記仕切り板１４，１５から供給される入賞球を受ける複数の球受凹部１６ａと、
　前記攪拌切り出し翼１６を回動駆動することに基づいて前記攪拌切り出し翼１６の球受凹部１６ａ内から入賞球を切り出す駆動モータ１８と、
　前記攪拌切り出し翼１６に複数の球受凹部１６ａ間に位置して設けられた突出部とを備え、
　前記攪拌切り出し翼１６の突出部は、外周面が前記仕切り板１４，１５から供給される入賞球の荷重で前記攪拌切り出し翼１６に回転力を付与する形状に設定されている入賞球カウンタ」を構成とする発明が記載されているものと認められる。
　申立人・町田が引用する甲第５号証（取消理由の刊行物４でもある特開平１−１５１４７６号公報）（以下、引用例６という）には、
特に、
第２図（第８頁）、第３図（第８頁）、第６図（第８頁）、第８図（第９頁）及び第９図（第９頁）の記載から、
スプロケット状の流入規制部材９，９に夫々に、２条の誘導路６から供給されるパチンコ球を受ける複数の球受凹部が設けられているものと認められること、
からみて、
「スプロケット状の流入規制部材９，９と、
　前記スプロケット状の流入規制部材９，９にパチンコ球を供給する２条の誘導路６と、
　前記スプロケット状の流入規制部材９，９に夫々に設けられ、前記２条の誘導路６から供給されるパチンコ球を受ける複数の球受凹部と、
　前記スプロケット状の流入規制部材９，９に複数の球受凹部間に位置して夫々に設けられた凸部とを備え、
　前記スプロケット状の流入規制部材９，９の凸部は、外周面が前記２条の誘導路６から供給されるパチンコ球の荷重で前記スプロケット状の流入規制部材９，９に回転力を付与する形状に設定されているパチンコ球払出装置」を構成とする発明が記載されているものと認められる。
　申立人・町田が引用する甲第６号証（取消理由の刊行物５でもある特開昭６４−３７９８０号公報）（以下、引用例７という）には、
「整流手段８を構成する歯車８Ａ，８Ｂと、
　前記歯車８Ａ，８Ｂに賞球を供給する並流通路４１Ａ，４１Ｂと、
　前記歯車８Ａ，８Ｂに夫々に設けられ、前記並流通路４１Ａ，４１Ｂから供給される賞球を受ける複数の歯溝Ｓと、
　前記歯車８Ａ，８Ｂに複数の歯溝Ｓ間に位置して夫々に設けられた歯先８ｘ、８ｙとを備え、
　前記歯車８Ａ，８Ｂの歯先８ｘ、８ｙは、外周面が前記並流通路４１Ａ，４１Ｂから供給される賞球の荷重で前記歯車８Ａ，８Ｂに回転力を付与する形状に設定されている賞球流下通路機構」を構成とする発明が記載されているものと認められる。
（３−５−２）平成１４年１１月６日付け上申書で引用された資料に記載された発明
　資料１（特開平３−１６２８８３号公報）には、
「爪車１０を挟んで設けられ且つ当該爪車１０と共に払出装置５を構成する玉切円板８ａ，８ｂと、
　前記玉切円板８ａ，８ｂにパチンコ球を供給する玉通路７ａ，７ｂと、
　前記玉切円板８ａ，８ｂに夫々に設けられ、前記玉通路７ａ，７ｂから供給されるパチンコ球を受ける複数の球受凹部８１ａ，８１ｂと、
　前記玉切円板８ａ，８ｂを位相のずれ状態で回動駆動することに基づいて前記玉切円板８ａ，８ｂの球受凹部８１ａ，８１ｂ内からパチンコ球を交互に払出す電磁石１４と、
　前記玉切円板８ａ，８ｂに複数の球受凹部８１ａ，８１ｂ間に位置して夫々に設けられた玉支持部８２ａ，８２ｂとを備え、
　前記玉切円板８ａ，８ｂの玉支持部８２ａ，８２ｂは、外周面が前記玉通路７ａ，７ｂから供給されるパチンコ球の荷重で前記玉切円板８ａ，８ｂに回転力を付与する形状に設定されているパチンコ球払出装置」を構成とする発明が記載されているものと認められる。
　資料２（特開平３−５５０８５号公報）には、
「ケーシング１内に室２を設け該室２に回転可能に収納され、回転部材４を構成するローター６と、
　前記ケーシング１内に設けられ、前記ローター６に球状物体を供給する通路３と、
　前記ローター６に夫々に設けられ、前記通路３から供給される球状物体を受ける複数の穴５と、
　前記ローター６の軸方向に２列形成されている前記穴５を位相のずれ状態で回動駆動することに基づいて前記ローター６の穴５内から球状物体を交互に排出する駆動モータ１０と、
　前記ローター６に複数の穴５間に位置して夫々に設けられたローター６の円周面６ａとを備え、
　前記ローター６の円周面６ａは、外周面が前記通路３から供給される球状物体の荷重で前記ローター６に回転力を付与する形状に設定されている球状物体供給装置」を構成とする発明が記載されているものと認められる。
　資料３（特開平３−４９７８６号公報）には、「ベース部材７０内に回転可能に収納される球切円盤１６ａ，１６ｂと、
　前記ベース部材７０に設けられ、前記球切円盤１６ａ，１６ｂに賞球を供給する賞球通路７４ａ，７４ｂと、
　前記球切円盤１６ａ，１６ｂに夫々に設けられ、前記賞球通路７４ａ，７４ｂから供給される賞球を受ける複数の球受凹部１６１と、
　前記球切円盤１６ａ，１６ｂを位相のずれ状態で回動駆動することに基づいて前記球切円盤１６ａ，１６ｂの球受凹部１６１内から賞球を交互に放出する駆動モータ１０と、
　前記球切円盤１６ａ，１６ｂに複数の球受凹部１６１間に位置して夫々に設けられた突出部とを備え、
　前記球切円盤１６ａ，１６ｂの突出部は、外周面が前記賞球通路７４ａ，７４ｂから供給される賞球の荷重で前記球切円盤１６ａ，１６ｂに回転力を付与する形状に設定されている賞球放出装置」を構成とする発明が記載されているものと認められる。
（３−５−３）対比・判断
　本件特許の請求項１に係る発明（前者）と、引用例１乃至７に記載された各発明とを対比すると、
引用例１に記載された発明の
「球送り整流部材１９」、「ラチエットホイール形状をなす整流盤２１Ａ，２１Ｂ」、「賞球」、「２列の整流樋６Ａ，６Ｂ」、「球受部２３」、「球送り歯２２」、「ラチエットホイール形状をなす整流盤２１Ａ，２１Ｂの球送り歯２２」及び「整流送出装置」
がそれぞれの機能に照らし、それぞれ
前者の
「回動部材」、「第１の球受部材および第２の球受部材」、「パチンコ球」、「第１の球供給路および第２の球供給路」、「球受凹部」、「突出部」、「第１の球受部材の突出部および前記第２の球受部材の突出部」及び「排出装置」
に相当するものと認められ、
又、
引用例２に記載された発明の
「回転体１２，１２」、「入口通路９ａ、９ａ」、「回転体１２，１２の球受凹部内」、「放出」、「係合爪１２ｂ」、「回転体１２，１２の係合爪１２ｂ」及び「放出装置」
がそれぞれの機能に照らし、それぞれ
前者の
「第１の球受部材および第２の球受部材」、「第１の球供給路および第２の球供給路」、「第１の球受部材の球受凹部内および前記第２の球受部材の球受凹部内」、「排出」、「突出部」、「第１の球受部材の突出部および前記第２の球受部材の突出部」及び「排出装置」
に相当するものと認められ、
又、
引用例３に記載された発明の
「回転体４，５」、「第１及び第２の球通路２，３」、「球体係合部１０，１２」、「回転体４，５の球体係合部１０，１２内」、「突部１１，１３」及び「回転体４，５の突部１１，１３」
がそれぞれの機能に照らし、それぞれ
前者の
「第１の球受部材および第２の球受部材」、「第１の球供給路および第２の球供給路」、「球受凹部」、「第１の球受部材の球受凹部内および前記第２の球受部材の球受凹部内」、「突出部」及び「第１の球受部材の突出部および前記第２の球受部材の突出部」
に相当するものと認められ、
又、
引用例４に記載された発明の
「スプロケット９」、「賞品球」、「誘導樋７」、「導出」、「突設された区画部２０」及び「導出装置」
がそれぞれの機能に照らし、それぞれ
前者の
「球受部材」、「パチンコ球」、「球供給路」、「排出」、「突出部」及び「排出装置」
に相当するものと認められ、
又、
引用例５に記載された発明の
「攪拌切り出し翼１６」、「入賞球」、「仕切り板１４，１５」及び「切り出す」
がそれぞれの機能に照らし、それぞれ
前者の
「球受部材」、「パチンコ球」、「球供給路」及び「排出する」
に相当するものと認められ、
又、
引用例６に記載された発明の
「スプロケット状の流入規制部材９，９」、「２条の誘導路６」、「凸部」、「スプロケット状の流入規制部材９，９の突出部」及び「払出装置」
がそれぞれの機能に照らし、それぞれ
前者の
「第１の球受部材および第２の球受部材」、「第１の球供給路および第２の球供給路」、「突出部」、「第１の球受部材の突出部および前記第２の球受部材の突出部」及び「排出装置」
に相当するものと認められ、
又、
引用例７に記載された発明の
「整流手段８」、「歯車８Ａ，８Ｂ」、「賞球」、「並流通路４１Ａ，４１Ｂ」、「歯溝Ｓ」、「歯先８ｘ、８ｙ」、「歯車８Ａ，８Ｂの歯先８ｘ、８ｙ」及び「流下通路機構」
がそれぞれの機能に照らし、それぞれ
前者の
「回動部材」、「第１の球受部材および第２の球受部材」、「パチンコ球」、「第１の球供給路および第２の球供給路」、「球受凹部」、「突出部」、「第１の球受部材の突出部および前記第２の球受部材の突出部」及び「排出装置」
に相当するものと認められるから、
前者と引用例１乃至７に記載された各発明とは、
「第１の球受部材および第２の球受部材と、
　前記第１の球受部材および前記第２の球受部材にパチンコ球を供給する第１の球供給路および第２の球供給路と、
　前記第１の球受部材および前記第２の球受部材に夫々に設けられ、前記第１の球供給路および前記第２の球供給路から供給されるパチンコ球を受ける複数の球受凹部と、
　前記第１の球受部材および前記第２の球受部材を位相のずれ状態で回動駆動することに基づいて前記第１の球受部材の球受凹部内および前記第２の球受部材の球受凹部内からパチンコ球を交互に排出する駆動モータと、
　前記第１の球受部材および前記第２の球受部材に複数の球受凹部間に位置して夫々に設けられた突出部とを備え、
　前記第１の球受部材の突出部および前記第２の球受部材の突出部は、外周面が前記第１の球供給路および前記第２の球供給路から供給されるパチンコ球の荷重で前記第１の球受部材および前記第２の球受部材に回転力を付与する形状に設定されているパチンコ球排出装置」
乃至
「球受部材と、
　球受部材にパチンコ球を供給する球供給路と、
　前記球受部材に設けられ、前記球供給路から供給されるパチンコ球を受ける複数の球受凹部と、
　前記球受部材を回動駆動することに基づいて前記球受部材の球受凹部内からパチンコ球を排出する駆動モータと、
　前記球受部材に複数の球受凹部間に位置して設けられた突出部とを備え、
　前記球受部材の突出部は、外周面が前記球供給路から供給されるパチンコ球の荷重で前記球受部材に回転力を付与する形状に設定されているパチンコ球排出装置」である、
点において一致し、
前者においては、回動部材を構成する第１の球受部材および第２の球受部材が、「ケース内に筒状の部分を設け該筒状の部分に回転可能に収納され、円板状の隔壁部を挟んで設けられ且つ当該隔壁部と共に」回動部材を構成し、第１の球供給路および第２の球供給路並びに駆動モータが、「前記ケース内に設けられ」ている、
のに対し、
引用例１乃至７に記載された各発明においては、かかる構成が備わっていない、
点において相違するものと認められる。
　そこで、この相違点の前者の構成が資料１乃至３に記載された各発明に備わっているかについて検討する。
　先ず、資料１に記載された発明についてみるに、
資料１に記載された発明の
「払出装置５」、「玉切円板８ａ，８ｂ」、「玉通路７ａ，７ｂ」、「玉切円板８ａ，８ｂの球受凹部８１ａ，８１ｂ内」、「払出す」、「電磁石１４」、「玉支持部８２ａ，８２ｂ」、「玉切円板８ａ，８ｂの玉支持部８２ａ，８２ｂ」及び「払出装置」
がそれぞれの機能に照らし、それぞれ
前者の
「回動部材」、「第１の球受部材および第２の球受部材」、「第１の球供給路および第２の球供給路」、「第１の球受部材の球受凹部内および前記第２の球受部材の球受凹部内」、「排出する」、「駆動モータ」、「突出部」、「第１の球受部材の突出部および前記第２の球受部材の突出部」及び「排出装置」
に相当するものと認められものの、
資料１に記載された発明の「爪車１０」が前者の「円板状の隔壁部」に相当するとは到底認められないから、
資料１に記載された発明には、相違点の前者の構成は、備わっていないものと認められる。
　次に、資料２に記載された発明についてみるに、
資料２に記載された発明の
「ケーシング１」、「室２」、「回転部材４」、「ローター６」、「球状物体」、「通路３」、「穴５」、「ローター６の穴５」、「ローター６の円周面６ａ」、「ローター６の円周面６ａ」及び「供給装置」
がそれぞれの機能に照らし、それぞれ、
前者の
「ケース」、「筒状の部分」、「回動部材」、「第１の球受部材および第２の球受部材」、「パチンコ球」、「第１の球供給路および第２の球供給路」、「球受凹部」、「第１の球受部材の球受凹部内および前記第２の球受部材の球受凹部」、「突出部」、「第１の球受部材の突出部および前記第２の球受部材の突出部」及び「排出装置」
に相当するものと認められるから、
資料２に記載された発明には、
回動部材を構成する第１の球受部材および第２の球受部材が、「ケース内に筒状の部分を設け該筒状の部分に回転可能に収納され」、第１の球供給路および第２の球供給路が、「前記ケース内に設けられ」る、点は備わっているものの、
回動部材を構成する第１の球受部材および第２の球受部材が、「円板状の隔壁部を挟んで設けられ且つ当該隔壁部と共に」回動部材を構成し、駆動モータが、「前記ケース内に設けられ」る、点は備わっていないものと認められる。
　最後に、資料３に記載された発明についてみるに、
資料３に記載された発明の
「ベース部材７０」、「球切円盤１６ａ，１６ｂ」、「賞球」、「賞球通路７４ａ，７４ｂ」、「球切円盤１６ａ，１６ｂの球受凹部１６１内」、「放出」、「球切円盤１６ａ，１６ｂの突出部」及び「放出装置」
がそれぞれの機能に照らし、それぞれ
前者の
「ケース」、「第１の球受部材および第２の球受部材」、「パチンコ球」、「第１の球供給路および第２の球供給路」、「第１の球受部材の球受凹部内および前記第２の球受部材の球受凹部内」、「排出」、「第１の球受部材の突出部および前記第２の球受部材の突出部」及び「排出装置」
に相当するものと認められるから、
資料３に記載された発明には、
回動部材を構成する第１の球受部材および第２の球受部材が、「ケース内に回転可能に収納され」、第１の球供給路および第２の球供給路が、「前記ケース内に設けられ」る、点は備わっているものの、
回動部材を構成する第１の球受部材および第２の球受部材が、「ケース内に筒状の部分を設け該筒状の部分に回転可能に収納され、円板状の隔壁部を挟んで設けられ且つ当該隔壁部と共に」回動部材を構成し、駆動モータが、「前記ケース内に設けられ」る、点は備わっていないものと認められる。
　要するに、資料１乃至３に記載された各発明の何れにも、
上記相違点の前者の構成の内の、
回動部材を構成する第１の球受部材および第２の球受部材が、「円板状の隔壁部を挟んで設けられ且つ当該隔壁部と共に」回動部材を構成し、駆動モータが、「前記ケース内に設けられ」る、
という点は、備わっていないものと認められる。
　したがって、
前者は、引用例２に記載された発明であるとも、又、当業者が引用例１乃至７に記載された各発明に基いて容易に発明をすることができたものであるとも、いうことができない。
（３−６）特許法第２９条の２の規定違反について
（３−６−１）異議申立人が引用する証拠に記載された発明
　申立人・丸本が引用する甲第３号証（特願平５−３４４２５８号（特開平７−１７１２５６号）の明細書又は図面）（以下、先願明細書という）には、
特に、
「爪車Ｒ１が図３のように係合爪１２ｂ、１２ｂの背と腹の間でパチンコ球Ｂ１を受け」（第３頁第３欄第２３，２４行）及び【図３】（第５頁）の記載から、
爪車Ｒ１，Ｒ２の係合爪１２ｂ、１２ｂの背と腹の間に、入口通路９ａから供給されるパチンコ球を受ける球受凹部が形成されているものと認められること、
からみて、
「球制御用回転体１２を構成する二組の爪車Ｒ１，Ｒ２と、
　前記二組の爪車Ｒ１，Ｒ２にパチンコ球を供給する入口通路９ａ、９ａと、
　前記二組の爪車Ｒ１，Ｒ２に夫々に設けられ、前記入口通路９ａ、９ａから供給されるパチンコ球を受ける複数の球受凹部と、
　前記二組の爪車Ｒ１，Ｒ２を位相のずれ状態で回動駆動することに基づいて前記二組の爪車Ｒ１，Ｒ２の球受凹部内からパチンコ球を交互に放出する駆動モータ１３と、
　前記二組の爪車Ｒ１，Ｒ２に複数の球受凹部間に位置して夫々に設けられた係合爪１２ｂとを備え、
　前記二組の爪車Ｒ１，Ｒ２の係合爪１２ｂは、外周面が前記入口通路９ａ、９ａから供給されるパチンコ球の荷重で前記二組の爪車Ｒ１，Ｒ２に回転力を付与する形状に設定されているパチンコ球放出装置」を構成とする発明が記載されているものと認められる。
（３−６−２）対比・判断
　本件特許の請求項１に係る発明（前者）と、先願明細書に記載された発明（後者）とを対比すると、
後者の
「球制御用回転体１２」、「二組の爪車Ｒ１，Ｒ２」、「入口通路９ａ、９ａ」、「二組の爪車Ｒ１，Ｒ２の球受凹部内」、「放出」、「係合爪１２ｂ」、「二組の爪車Ｒ１，Ｒ２の係合爪１２ｂ」及び「放出装置」
がそれぞれの機能に照らし、それぞれ
前者の
「回動部材」、「第１の球受部材および第２の球受部材」、「第１の球供給路および第２の球供給路」、「第１の球受部材の球受凹部内および前記第２の球受部材の球受凹部内」、「排出」、「突出部」、「第１の球受部材の突出部および前記第２の球受部材の突出部」及び「排出装置」
に相当するものと認められるから、
両者は、
「回動部材を構成する第１の球受部材および第２の球受部材と、
　前記第１の球受部材および前記第２の球受部材にパチンコ球を供給する第１の球供給路および第２の球供給路と、
　前記第１の球受部材および前記第２の球受部材に夫々に設けられ、前記第１の球供給路および前記第２の球供給路から供給されるパチンコ球を受ける複数の球受凹部と、
　前記第１の球受部材および前記第２の球受部材を位相のずれ状態で回動駆動することに基づいて前記第１の球受部材の球受凹部内および前記第２の球受部材の球受凹部内からパチンコ球を交互に排出する駆動モータと、
　前記第１の球受部材および前記第２の球受部材に複数の球受凹部間に位置して夫々に設けられた突出部とを備え、
　前記第１の球受部材の突出部および前記第２の球受部材の突出部は、外周面が前記第１の球供給路および前記第２の球供給路から供給されるパチンコ球の荷重で前記第１の球受部材および前記第２の球受部材に回転力を付与する形状に設定されているパチンコ球排出装置」である、
点において一致し、
両者間には、上記（３−５−３）の所に記したとおりの相違点があるものと認められる。
　したがって、
前者が後者と同一であるということはできない。
（３−７）特許法第３６条の規定違反について
　特許異議申立て（申立人・丸本）の理由及び取消理由でいう特許法第３６条の規定違反とは、本件特許の特許請求の範囲の第２項が本件特許の発明の詳細な説明に記載されていないというものであるところ、上記２・の訂正が認められた結果、上記２・の（２−１）のイ・及びエ・で示したように、明細書の特許請求の範囲の請求項２及び明細書の段落【０００６】の記載が削除されたので、特許法第３６条の規定違反は、解消したものと認められる。
（３−８）むすび
　以上のとおりであるから、特許異議申立ての理由及び証拠並びに取消理由及び証拠によっては、本件請求項１に係る発明の特許を取り消すことはできない。
　又、他に本件請求項１に係る発明の特許を取り消すべき理由を発見しない。
　なお、請求人から、更に平成１５年７月２２日付で提出されている上申書を検討しても、上記結論に影響を与えない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年７月３１日（２００３．７．３１）
【訂正の要旨】
審決（決定）の【理由】欄参照。
（５４）【発明の名称】
パチンコ球排出装置
（５７）【特許請求の範囲】
　【請求項１】　
ケース内に筒状の部分を設け該筒状の部分に回転可能に収納され、円板状の隔壁部を挟んで設けられ且つ当該隔壁部と共に回動部材を構成する
　
前記ケース内に設けられ、
　前記第１の球受部材および前記第２の球受部材に夫々に設けられ、前記
第１の球供給路および前記第２の
　
前記ケース内に設けられ、
　前記第１の球受部材および前記第２の球受部材に複数の球受凹部間に位置して夫々に設けられた突出部とを備え、
　前記第１の球受部材の突出部および前記第２の球受部材の突出部は、外周面が前記第１の球供給路および前記第２の球供給路から供給されるパチンコ球の荷重で前記第１の球受部材および前記第２の球受部材に回転力を付与する形状に設定されていることを特徴とするパチンコ球排出装置。
【発明の詳細な説明】
　【０００１】
　【産業上の利用分野】
　本発明は、例えば球貸機や賞球排出装置に好適するパチンコ球排出装置に関する。
　【０００２】
　【従来の技術】
　この種のパチンコ球排出装置の一例として、特開平３−１１１０７１号公報に記載された構成がある。この構成では、球タンクからのパチンコ球を供給する球供給路を上下方向に延びるように設けると共に、この球供給路の途中に歯部を突出させたスプロケット（球受部材）を回動可能に設け、更に、このスプロケットの回動を許容及び阻止するソレノイドを設けている。この構成では、スプロケットの回動が許容されたときに、パチンコ球が球供給路内を上から下へ自然落下して排出され、一方、ソレノイドによりスプロケットの回動が阻止されたときに、パチンコ球の落下がスプロケットの歯部によって止められて、パチンコ球の排出が停止されるように構成されている。
　【０００３】
　【発明が解決しようとする課題】
　しかしながら、上記従来構成では、スプロケットの回動軸に多数のパチンコ球の荷重即ち大きな力が作用する構成であるので、パチンコ球の排出時にステッピングモータが大きな回動トルクを出力しなければならないという不具合がある。このため、ステッピングモータを大形化する、或いは、減速装置を設ける等の対策が必要となり、構成全体の製造コストが高くなるという問題点があった。
　【０００４】
　そこで、本発明の目的は、モータ等の駆動装置の構成を小形化でき、構成全体の製造コストを安くし得るパチンコ球排出装置を提供するにある。
　【０００５】
　【課題を解決するための手段】
　請求項１記載のパチンコ球排出装置は、
ケース内に筒状の部分を設け該筒状の部分に回転可能に収納され円板状の隔壁部を挟んで設けられ且つ当該隔壁部と共に回動部材を構成する
前記ケース内に設けられ
第１の球供給路および前記第２の
前記ケース内に設けられ
　【０００６】
　【０００７】
　【作用】
　上記手段によれば、突出部の外周面の形状を、パチンコ球の荷重が球受部材を回転させる回転力として作用させるように形成しているので、モータの回動トルクを小さくすることができ、小形のモータを使用できる。
　【０００８】
　【実施例】
　以下、本発明を賞球排出装置に適用した一実施例につき図面を参照しながら説明する。まず、パチンコ機全体の背面側を示す図２において、機本体１の背面側上部には、多数のパチンコ球（賞球）２を貯留する球供給源である例えば球タンク３が配設されている。この球タンク３内へは、図示しないパチンコ球供給機構からパチンコ球２が供給されるように構成されている。
　【０００９】
　上記球タンク３の下部には球流下通路４が配設されており、球タンク３の底部から流出したパチンコ球２が上記球流下通路４内を流下する。この球流下通路４の内部は、リブにより前後に二つの通路に別れる構成となっている。そして、球流下通路４の右端部下方には、下端側が右・左に別れる二つの分岐流下通路５、６が配設されており、上記球流下通路４内の一方の通路が分岐流下通路５に連通し、他方の通路が分岐流下通路６に連通している。これら分岐流下通路５、６の下部に、賞球排出装置７が配設されている。この賞球排出装置７から排出されたパチンコ球２は、球排出口側である例えば球流下通路８内を流下した後、機本体１の前面側の下部に設けられた球受皿（図示しない）内へ貯留されるように構成されている。
　【００１０】
　さて、上記賞球排出装置７について、図１及び図３ないし図８を参照して説明する。まず、図３は賞球排出装置７の上面図であり、図４は賞球排出装置７の下面図であり、図１は賞球排出装置７の図３中Ｉ−Ｉ線に沿う縦断面図であり、図５は賞球排出装置７の図３中Ｖ−Ｖ線に沿う縦断面図であり、図６は賞球排出装置７の図１中ＶＩ−ＶＩ線に沿う横断面図である。このうちの図１に示すように、賞球排出装置７のケース９内における右部及び左部には、第１の球供給路１０及び第２の球供給路１１が上下方向に延びるように設けられている。これら第１の球供給路１０及び第２の球供給路１１の各上端開口部１０ａ及び１１ａは、図３にも示すように、ケース９の上面部に開口している。この場合、第１の球供給路１０の上端開口部１０ａが上記一方の分岐流下通路５の下端部に連通し、第２の球供給路１１の上端開口部１１ａが上記他方の分岐流下通路６の下端部に連通している。
　【００１１】
　そして、第１の球供給路１０の下端部はケース９のほぼ中央部分で内側に向けて（図１中左向きに）円弧状に曲がっており、これにより、第１の球供給路１０の下端開口部１０ｂが横向き（図１中左向き）に開口している。また、第２の球供給路１１の下端部は、上記第１の球供給路１０の下端部よりも一段下の位置で、内側に向けて（図１中右向きに）円弧状に曲がっており、これにより、第２の球供給路１１の下端開口部１１ｂが横向き（図１中右向き）に開口している。この場合、第１の球供給路１０の下端開口部１０ｂと、第２の球供給路１１の下端開口部１１ｂとは、一段ずれた状態でほぼ対向配置されている。
　【００１２】
　また、第１の球供給路１０の下端開口部１０ｂと、第２の球供給路１１の下端開口部１１ｂとの間には、回動部材１２が水平方向に、即ち、回動軸１３を回動中心として回動可能に設けられている。この回動部材１２は、例えばプラスチックで一体成形されており、図７にも示すように、上部スプロケット１４と、この上部スプロケット１４の下部に設けられた円板状の隔壁部１５と、この隔壁部１５の下部に設けられた下部スプロケット１６と、上部スプロケット１４の上面中心部及び下部スプロケット１６の下面中心部に上下方向に延びるように突設された回動軸１３とを有する構成となっている。この場合、上部スプロケット１４が第１の球受部材を構成し、下部スプロケット１６が第２の球受部材を構成している。
　【００１３】
　そして、上部スプロケット１４及び下部スプロケット１６の各外周部には、それぞれ２個の球受凹部１４ａ及び１６ａが均等に設けられている。更に、上部スプロケット１４と下部スプロケット１６とは、回転位相が９０度ずれた状態で回動するように一体化されている。尚、上部スプロケット１４及び下部スプロケット１６の各外周部におけるほぼ扇形をなす突出部１４ｂ、１６ｂの外周面部の形状は、図６において、矢印Ａで示す回転方向の先端側半部の外周面部１４ｃの曲率半径Ｒ１が回転方向の基端側半部の外周面部１４ｄの曲率半径Ｒ２よりも大きくなるように設定されている。具体的には、Ｒ１が１２ｍｍに設定され、Ｒ２が１０ｍｍに設定されている。このような形状に構成することにより、図６に示すように、第１及び第２の球供給路１０、１１から供給されたパチンコ球２が各スプロケット１４、１６の突出部１４ｂ、１６ｂの外周面部に当接した状態では、パチンコ球２の荷重が回動部材１２を矢印Ａ方向（正回転方向）へ回転させる回転力として作用するようになっている。
　【００１４】
　また、図１に示すように、上記回動部材１２の上方には、例えばステッピングモータ１７が配設されており、このステッピングモータ１７の回転軸１７ａが回動部材１２の回動軸１３の上端部に連結されている。上記ステッピングモータ１７は、回動部材１２（上部スプロケット１４及び下部スプロケット１６）を９０度ずつ回動駆動することが可能なモータである。ここで、回動部材１２の回動軸１３の上端部には円板１８が取付け固定されており、この円板１８の外周縁部には４個のスリット１８ａ（図８参照）が等間隔に（９０度ずつの間隔で）形成されている。そして、図５に示すように、上記円板１８の右端部には、その外周縁部を挟むように光センサ１９が配設されている。この光センサ１９は、例えばフォトインタラプタから構成されており、円板１８のスリット１８ａを検出したとき、その検出信号を出力するように構成されている。上記光センサ１９から検出信号が出力される時点で、ステッピングモータ１７を回動停止させて回動部材１２を停止させるようにして回動させれば、回動部材１２を９０度ずつ回動させることが可能である。この場合、光センサ１９が回転センサを構成している。
　【００１５】
　一方、図５に示すように、ケース９内における下半部側の左部及び右部には、第１の球排出路２０及び第２の球排出路２１が上下方向に延びるように設けられている。このうちの第１の球排出路２０の上端開口部２０ａは、図６にも示すように、回転部材１２の上部スプロケット１４の外周部に対向するように横向き（図５及び図６中右向き）に開口しており、上部スプロケット１４の球受凹部１４ａから排出されたパチンコ球２を受けるように構成されている。そして、第２の球排出路２１の上端開口部２１ａは、回転部材１２の下部スプロケット１６の外周部に対向するように横向き（図５中左向き）に開口しており、下部スプロケット１６の球受凹部１６ａから排出されたパチンコ球２を受けるように構成されている。また、第１の球排出路２０及び第２の球排出路２１の各下端部２０ｂ及び２１ｂは、図４に示すように、ケース９の下面部に開口している。
　【００１６】
　尚、上記第１の球排出路２０及び第２の球排出路２１の各下端部２０ｂ及び２１ｂから排出されたパチンコ球２は、前記球流下通路８内へ排出されるように構成されている。また、図６に示すように、回動部材１２即ち上部スプロケット１４及び下部スプロケット１６の外周は、上記球供給路１０、１１の各下端開口部１０ｂ、１１ｂ及び上記球排出路２０、２１の各上端開口部２０ａ、２１ａ部分を除いて、円筒部材２２により囲繞されるように構成されている。更に、図５に示すように、上部スプロケット１４の上側は上カバー部材２３により覆われると共に、下部スプロケット１６の下側は下カバー部材２４により覆われる構成となっている。
　【００１７】
　ここで、上カバー部材２３の下面部には、例えば突条をなすガイド凸部２５が図５及び図６に示すように下方に向けて突設されている。この場合、上部スプロケット１４が回動しながら、その球受凹部１４ａからパチンコ球２が排出されるときに、該パチンコ球２が上記ガイド凸部２５に当たることにより、外側即ち排出側へ確実に案内されるようになり、該パチンコ球２がスムーズに排出されるようになっている。同様にして、下カバー部材２４の上面部にも、例えば突条をなすガイド凸部２６が図５及び図６に示すように上方に向けて突設されている。この場合も、下部スプロケット１６が回動しながら、その球受凹部１６ａからパチンコ球２が排出されるときに、該パチンコ球２が上記ガイド凸部２６に当たることにより、外側即ち排出側へ確実に案内されるようになり、該パチンコ球２がスムーズに排出されるようになっている。
　【００１８】
　一方、電気的構成を示す図９において、制御回路２７は、マイクロコンピュータを含んで構成されており、パチンコ機の運転全般及び賞球排出装置７の運転を制御する制御プログラムを有している。この制御回路２７は、パチンコ球２が図示しない入賞口に入賞したことを検知する入賞検知回路２８からの入賞検知信号、前記光センサ１９からの検知信号、遊技者が操作する発射ハンドルによりオンオフ作動する発射スイッチ２９からのスイッチ信号を受けるように構成されている。また、制御回路２７は、前記ステッピングモータ１７を駆動回路３０を介して駆動制御すると共に、パチンコ球２を図示しない遊技盤の遊技部へ向けて発射する（打ち出す）ための発射モータ３１を駆動回路３２を介して駆動制御するように構成されている。
　【００１９】
　次に、上記構成の作用を説明する。賞球排出装置７がパチンコ球２の排出を行なっていない場合、回動部材１２は例えば図６に示す位置で停止している。この場合、上部スプロケット１４は、一方の球受凹部１４ａ内にパチンコ球２が入っており、他方の球受凹部１４ａ内にはパチンコ球２が入っていない。そして、第１の球供給路１０からのパチンコ球２が上部スプロケット１４の突出部１４ｂの外周面に当接している。また、下部スプロケット１６は、第２の球供給路１１からのパチンコ球２が一方の球受凹部１６ａ内に入って供給された状態であると共に、他方の球受凹部１６ａ内からパチンコ球２が排出された状態、即ち、他方の球受凹部１６ａ内にはパチンコ球２が入っていない。このとき、第１の球供給路１０内及び第２の球供給路１１内には、パチンコ球２が隙間なく上下方向に並んで貯留されている。
　【００２０】
　上記状態で、遊技部内へ打ち出されたパチンコ球２が入賞すると、賞球排出装置７により賞球として例えば１５個のパチンコ球２を排出するように制御される。具体的には、ステッピングモータ１７を通電駆動して、回動部材１２を図６中矢印Ａ方向へ９０度回転させる。これにより、上部スプロケット１４が９０度回動してパチンコ球２が入っている球受凹部１４ａが第１の球排出路２０の上部開口部２０ａに対応する位置まで回動するようになり、もって、球受凹部１４ａからパチンコ球２が第１の球排出路２０内へ排出される。このとき、上カバー部材２３のガイド凸部２５によりパチンコ球２が案内されて確実に排出されるようになっている。そして、同時に、上部スプロケット１４のうちのパチンコ球２が入っていない球受凹部１４ａが第１の球供給路１０の下部開口部１０ｂに対応するようになり、もって、第１の球供給路１０からパチンコ球２が上記球受凹部１４ａ内に供給されて貯留されるようになっている。
　【００２１】
　また、このとき、下部スプロケット１６も９０度回動するが、パチンコ球２が入っている球受凹部１６ａは第２の球排出路２１の上部開口部２１ａに対応する位置まで回動しないので、球受凹部１６ａ内にパチンコ球２が貯留（保留）されたままである。そして、このとき、第２の球供給路１１からのパチンコ球２は下部スプロケット１６の突出部１６ｂの外周面に当接するようになる。従って、図６に示す状態から、回動部材１２を９０度回転させると、１個のパチンコ球２が排出されるのである。
　【００２２】
　続いて、上記状態（上記１個のパチンコ球２が排出された状態）で、ステッピングモータ１７を通電駆動して、回動部材１２を更に９０度回転させると、下部スプロケット１６が９０度回動してパチンコ球２が入っている球受凹部１６ａが第２の球排出路２１の上部開口部２１ａに対応するようになり、もって、球受凹部１６ａからパチンコ球２が第２の球排出路２１内へ排出される。このとき、下カバー部材２４のガイド凸部２６により上記パチンコ球２が案内されて確実に排出されるようになっている。そして、同時に、下部スプロケット１６のうちのパチンコ球２が入っていない球受凹部１６ａが第２の球供給路１１の下部開口部１１ｂに対応するようになり、もって、第２の球供給路１１からパチンコ球２が上記球受凹部１６ａ内に供給されて貯留される。
　【００２３】
　そして、このとき、上部スプロケット１４も９０度回動するが、パチンコ球２が入っている球受凹部１４ａは第１の球排出路２０の上部開口部２０ａに対応しないので、球受凹部１４ａ内にパチンコ球２が貯留（保留）されたままである。そして、このとき、第１の球供給路１０からのパチンコ球２は上部スプロケット１４の突出部１４ｂの外周面に当接するようになる。従って、上記状態から、回動部材１２を９０度回転させると、１個のパチンコ球２が排出されるのである。以下、回動部材１２を９０度回動させる毎に、上述した排出動作が繰り返し行われ、上部スプロケット１４及び下部スプロケット１６から交互にパチンコ球２が１個ずつ排出される。従って、回動部材１２を９０度ずつ１５回回動させると、１５個のパチンコ球２が排出されるのである。尚、回動部材１２を９０度ずつ回動させる制御を行なうに当たっては、円板１８のスリット１８ａを光センサ１９により検出したときに、その検出信号に基づいてステッピングモータ１７の回動を停止させるように構成されている。
　【００２４】
　このような構成の本実施例によれば、上部スプロケット１４及び下部スプロケット１６（回動部材１２）を、回転位相が９０度ずれた状態で一体に水平方向に回動するように設け、第１及び第２の球供給路１０、１１によりパチンコ球２を上部スプロケット１４及び下部スプロケット１６の各球受凹部１４ａ、１６ａへそれぞれ外周側から供給するように構成し、そして、ステッピングモータ１７により上部スプロケット１４及び下部スプロケット１６（回動部材１２）を９０度ずつ回動駆動することにより、上部スプロケット１４及び下部スプロケット１６の各球受凹部１４ａ、１６ａから交互にパチンコ球２を１個ずつ外周側へ排出する構成とした。これにより、上記実施例では、第１及び第２の球供給路１０、１１からのパチンコ球２が、上部スプロケット１４及び下部スプロケット１６の各球受凹部１４ａ、１６ａへ外周側から供給されると共に、上部スプロケット１４及び下部スプロケット１６の各突出部１４ｂ、１６ｂの外周面に外周側から当たる構成となるので、上部スプロケット１４及び下部スプロケット１６（回動部材１２）の回動軸１３に作用する力を大幅に小さくすることができる。このため、ステッピングモータ１７の回動トルクを小さくし得ると共に、減速装置を使用しなくても小形のステッピングモータを使用することができ、製造コストを安くし得、また、全体の構成を小形化することができる。
　【００２５】
　また、上記実施例では、上部スプロケット１４及び下部スプロケット１６には、従来構成とは異なり、自然落下したパチンコ球が当たる歯部を形成する必要がないので、上部スプロケット１４及び下部スプロケット１６（回動部材１２）の耐久性及び強度をそれほど高くする必要もなくなり、製造コストを安くすることができる。
　【００２６】
　更に、上記実施例の場合、上部スプロケット１４及び下部スプロケット１６の各外周面部の形状を、第１及び第２の球供給路１０、１１からのパチンコ球２が当接したときに、パチンコ球２の荷重が上部スプロケット１４及び下部スプロケット１６を正回転方向へ回転させる回転力として作用させるように構成した。具体的には、上部スプロケット１４及び下部スプロケット１６の各突出部１４ｂ、１６ｂの外周面部の形状を、図６に示すように、矢印Ａで示す回転方向の先端側半部の外周面部１４ｃの曲率半径Ｒ１が回転方向の基端側半部の外周面部１４ｄの曲率半径Ｒ２よりも大きくなるように構成したので、ステッピングモータ１７の回動トルクを更に小さくすることができ、より一層小形のモータを使用することができる。
　【００２７】
　一方、上記実施例では、上部スプロケット１４の上側を覆う上カバー部材２３に、上部スプロケット１４の球受凹部１４ａからパチンコ球２がスムーズに排出されるように案内する第１のガイド凸部２５を設けると共に、下部スプロケット１６の下側を覆う下カバー部材２４に、下部スプロケット１６の球受凹部１６ａからパチンコ球２がスムーズに排出されるように案内する第２のガイド凸部２６を設ける構成としたので、上部スプロケット１４及び下部スプロケット１６からパチンコ球２を確実に排出することができ、動作の信頼を極めて高くすることができる。
　【００２８】
　尚、上記実施例では、ガイド凸部２５、２６を上カバー部材２３及び下カバー部材２４にそれぞれ設ける構成としたが、これに限られるものではなく、例えば上部スプロケット１４及び下部スプロケット１６（回動部材１２）を囲む円筒部材２２の側壁に設ける構成としても良い。また、上記実施例では、回動部材１２を一体成形物で構成したが、これに代えて、各スプロケット等をばらばらの部品として形成し、これらの部品を連結して一体化するように構成しても良い。
　【００２９】
　【発明の効果】
　本発明は以上の説明から明らかなように、減速装置を使用しなくても、回動トルクの小さい小形のモータを使用することができ、低コスト化及び構成の小形化を計ることができる。
【図面の簡単な説明】
　【図１】
　本発明の一実施例を示すもので、図３中Ｉ−Ｉ線に沿う縦断面図
　【図２】
　パチンコ機の背面図
　【図３】
　賞球排出装置の上面図
　【図４】
　賞球排出装置の下面図
　【図５】
　図３中Ｖ−Ｖ線に沿う縦断面図
　【図６】
　図１中ＶＩ−ＶＩ線に沿う縦断面図
　【図７】
　回動部材の斜視図
　【図８】
　円板の上面図
　【図９】
　ブロック図
　【符号の説明】
　１は機本体、２はパチンコ球、３は球タンク（球供給源）、４は球流下通路、７は賞球排出装置、８は球流下通路（排出口側）、１０は第１の球供給路、１１は第２の球供給路、１２は回動部材、１３は回動軸、１４は上部スプロケット（第１の球受部材）、１６は下部スプロケット（第２の球受部材）、１７はステッピングモータ、１８は円板、１９は光センサ（回転センサ）、２０は第１の球排出路、２１は第２の球排出路、２３は上カバー部材、２４は下カバー部材、２５、２６はガイド凸部、２７は制御回路、２８は入賞検知回路を示す。